(57)【要約】【課題】  尾引きと呼ばれるトナーの飛散を回避出来る画像処理回路を提供する。【解決手段】  複数ラインの画像データを保持することが可能な画像用メモリを有し、その画像用メモリからデータを取り込み、主走査方向に複数ＤＯＴ、副走査方向に複数ラインの画像データを格納するための参照ウインドウを有し、またその参照ウインドウのデータは１ＣＬＯＣＫ毎に画像データを主走査方向にシフトしていくことが可能で、また水平同期信号毎に取り込むラインをシフトすることが可能な参照ウインドウで、また画像判定用パターンを有し、前記参照ウインドウと照合すなわちマッチング可能な構成となっており、参照ウインドウ上の注目画素に対して、画素置換をするかしないか判定する回路を有し、画素置換するという判定がされた場合、画素置換を行うことを可能としたことを特徴とする。【選択図】        図１
2006303879.tif 000002
【特許請求の範囲】
【請求項１】
複数ラインの画像データを保持することが可能な画像用メモリを有し、その画像用メモリからデータを取り込み、主走査方向に複数ＤＯＴ、副走査方向に複数ラインの画像データを格納するための参照ウインドウを有し、またその参照ウインドウのデータは１ＣＬＯＣＫ毎に画像データを主走査方向にシフトしていくことが可能で、また水平同期信号毎に取り込むラインをシフトすることが可能な参照ウインドウで、また画像判定用パターンを有し、前記参照ウインドウと照合すなわちマッチング可能な構成となっており、参照ウインドウ上の注目画素に対して、画素置換をするかしないか判定する回路を有し、画素置換するという判定がされた場合、画素置換を行うことが可能なことを特徴とする画像処理回路。
【請求項２】
請求項１に記載の画像処理回路において数ＤＯＴすなわち数ＣＬＯＣＫ前の画素置換情報を有し、現在の注目画素において、画素置換すると判定した場合にあっても、その前記情報により、既に画素置換が発生していた場合、やはりその注目画素においては画素置換を行わないことが可能なことを特徴とする画像処理回路。
【請求項３】
複写機の印刷系搬送スピードが速いために、あるいは高精彩の印刷系の場合にＡＳＩＣ内部等の動作条件により、１画素１ＣＬＯＣＫで処理することが不可能な場合において、１ＣＬＯＣＫに対して複数画素を上記請求項１の判断を行う必要がある場合に、複数の参照ウインドウを有し、その複数の参照ウインドウに対してマッチングを行い、また請求項２のように画素の前後が関係を知る必要があるため、その複数ウインドウ間で情報のやりとりを行う手段を有し、
各参照ウインドウの注目画素に対して画素置換の判断を行い、画素置換を行う判断がされた場合は画素置換を行うことが可能なことを特徴とする画像処理回路。
【請求項４】
同一ページ内において、従来の細線補正を行い、かつ本発明、請求項１〜３のいずれかに記載の処理も行うことが可能なことを特徴とする画像処理回路。
【発明の詳細な説明】
【技術分野】
【０００１】
本発明は、画像処理回路に関し、モノクロ複写機等において有効である。
【背景技術】
【０００２】
白黒複写機では尾引きと呼ばれる定着以前のトナーが風等の原因により吹き飛ばされてしまい、紙上で飛散してしまい、見栄えが汚くなるといったような現象が市場クレームとしてあがっている。
【０００３】
リアル１２００ｄｐｉのように高精彩のモノクロエンジンの場合、逆に明朝体の文字でうまくトナーが載らず文字がかすれてしまうといった問題もある。
【特許文献１】特開平８−９８０４８号公報
【発明の開示】
【発明が解決しようとする課題】
【０００４】
上記の背景技術に対して、ＭＦＰコントローラ側で対応するために、実際にトナー量が増える個所を判断し、そのような印字個所においてはトナーの量が減るように擬似的に白のちどりのデータを入れることにより全体的にトナーの量を減らすようにすれば、尾引きが発生しにくくなる。
【０００５】
すなわち本発明は、尾引きと呼ばれるトナーの飛散を回避出来る画像処理回路を提供することを目的とする。
【課題を解決するための手段】
【０００６】
上述した問題をＭＦＰのコントローラハードウェアで実現するために、主走査方向に複数ＤＯＴ及び副走査方向に複数ラインの参照ウインドウを持ち、画像データを先頭から流していき、画像を主走査、副走査に対してスクロールさせ参照ウインドウにデータを入れていくようにする手段を持ち、
（１）その参照ウインドウより対象画素とその周囲の画素の判定を行い、判定基準に基づき、印字しない方が良いと判断された場合は、印字されるはずの画素であったとしても、その画素に関して印字しないようにする（画素置換する（画素削除する））。
（２）（ハード的には１〜数サイクル前）数ＤＯＴ前の画像が、上記（１）の判定により画素置換（削除）すると判定された場合に、現在の注目画素が画素置換をすると判定された場合であっても、やはり画素置換（削除）を行わないようにすることが可能。
（３）エンジンＳｐｅｅｄが速い場合のために複数ウインドウを有し上記（１）、（２）の判断互いの異なるウインドウ情報をみながら複数ウインドウの複数画素を同時に画素置換（削除）を行うことが可能な定着爆発抑制回路（含む細線補正回路）。
（４）上記（１）〜（３）の回路に対して、従来の線を太らせる回路（細線補正回路）と定着爆発抑制回路を同一ページ内で同時に判定し同じページ内で文字を太らせたり、画素削除を行うことができる回路。
（５）画像パスにより複数ウインドウの構成を変更させることが、上記（１）〜（４）が可能な回路。
【０００７】
すなわち本発明は、複数ラインの画像データを保持することが可能な画像用メモリを有し、その画像用メモリからデータを取り込み、主走査方向に複数ＤＯＴ、副走査方向に複数ラインの画像データを格納するための参照ウインドウを有し、またその参照ウインドウのデータは１ＣＬＯＣＫ毎に画像データを主走査方向にシフトしていくことが可能で、また水平同期信号毎に取り込むラインをシフトすることが可能な参照ウインドウで、また画像判定用パターンを有し、前記参照ウインドウと照合すなわちマッチング可能な構成となっており、参照ウインドウ上の注目画素に対して、画素置換をするかしないか判定する回路を有し、画素置換するという判定がされた場合、画素置換を行うことを可能としたことを特徴とする画像処理回路である。
【発明の効果】
【０００８】
本発明により、尾引きを回避でき、また、細線が補正できる。
【発明を実施するための最良の形態】
【０００９】
図１は、実施形態のシステムの構成概念図であり、図１は比較的な簡単なネットワーク構成を示している。
【００１０】
コンピュータは、サーバコンピュータ１０２とクライアントコンピュータ１０３ａ，１０３ｂ及び１０３ｃがあり、サーバコンピュータ１０２は、これらのクライアントコンピュータを管理している。なお、図示されていないが、クライアントコンピュータは、これらのほかにも多数接続されており、以下、クライアントコンピュータを代表して１０３と表記する。
【００１１】
また、ネットワーク１０１には、ＭＦＰ（Ｍｕｌｔｉ  Ｆｕｎｃｔｉｏｎ  Ｐｅｒｉｐｈｅｒａｌ：マルチファンクション周辺機器）１０４、１０５及び、プリンタ１０７が接続されている。
【００１２】
ＭＦＰ１０４は、高解像度、高階調のフルカラーでスキャンまたは、プリントなどが可能なフルカラーＭＦＰであり、データ量が膨大となる場合、独立したインターフェース（後述の２０５）で複数ビットを同時に送受できるものである。一方、ＭＦＰ１０５はモノクロにてスキャン、プリントなどを行うＭＦＰである。また、図示していないがネットワーク１０１上には上記以外のＭＦＰを初め、スキャナ、プリンタあるいは、ＦＡＸなどその他の機器も接続されている。
【００１３】
更に、スキャナ１０６は紙ドキュメントからの画像イメージを取り込む装置で、図のようにネットワークに接続されているものの他に、ＳＣＳＩインターフェースなどでコンピュータに接続されるものがある。また、スキャナ自体はＭＦＰ１０５の一部の機能としてサポートされている場合もある。
【００１４】
ここで、クライアントコンピュータ１０３上では、いわゆるＤＴＰ（Ｄｅｓｋ  Ｔｏｐ  Ｐｕｂｌｉｓｈｉｎｇ）を実行するアプリケーションソフトウェアを動作させ、各種文書／図形が作成／編集される。クライアントコンピュータ１０３は作成された文書／図形をページ記述言語ＰＤＬ（Ｐａｇｅ  Ｄｅｓｃｒｉｐｔｉｏｎ  Ｌａｎｇｕａｇｅ）に変換し、ネットワーク１０１を経由してＭＦＰ１０４や１０５に送出することで、プリントアウトを行う。
【００１５】
［ＭＦＰ１０５の構成］
次に、ＭＦＰ１０５の構成について説明する。図２に示すように、ＭＦＰ１０５は、画像読み取りを行うスキャナ部２０１とその画像データを画像処理するスキャナＩＰ部２０２と、ファクシミリなどに代表される電話回線を利用した画像の送受信を行うＦＡＸ部２０３と、ネットワークを利用して画像データや装置情報をやりとりするＮＩＣ（Ｎｅｔｗｏｒｋ  Ｉｎｔｅｒｆａｃｅ  Ｃａｒｄ）部２０４と、ＭＦＰ１０５との情報交換を行う専用Ｉ／Ｆ部２０５とを備えている。そして、ＭＦＰ１０５の使い方に応じて、コア部２０６は、メモリ部２１１あるいは、そのメモリ部を区分けして利用されるボックス部２１２と連携して画像信号を一時格納したり、経路を決定したりする制御を行う。
【００１６】
次に、コア部２０６から出力された画像データは、プリンタＩＰ部２０７及び、スクリーニング部２０８を経由して画像形成を行うプリンタ部２０９に送られる。プリンタ部２０９でプリントアウトされたシートはオンラインフィニッシャ部２１０へ送り込まれ、シートの仕分け処理やシートの仕上げ処理が行われる。
【００１７】
コア部２０６はバスの交通整理を行っており、ＭＦＰの使い方に応じて、以下の（Ａ）〜（Ｉ）のようにパス切り替えが行われている。また、データがネットワークを経由する際には、ＪＰＥＧ，ＪＢＩＧ，ＺＩＰなど圧縮データを使用することも一般知られており、データがＭＦＰに入った後、このコア部にて解凍（伸張）される。
（Ａ）複写機能：スキャナ部２０１→コア部２０６→プリンタ部２０９
（Ｂ）ネットワークスキャナ：スキャナ部２０１→コア部２０６→ＮＩＣ部２０４
（Ｃ）ネットワークプリンタ：ＮＩＣ部２０４→コア部２０６→プリンタ部２０９
（Ｄ）ファクシミリ送信機能：スキャナ部２０１→コア部２０６→ＦＡＸ部２０３
（Ｅ）ファクシミリ受信機能：ＦＡＸ部２０３→コア部２０６→プリンタ部２０９
（Ｆ）ボックス受信機能１：ＮＩＣ部２０４→コア部２０６→ボックス部２１２
（Ｇ）ボックス受信機能２：スキャナ部２０１→コア部２０６→ボックス部２１２
（Ｈ）ボックス送信機能１：ボックス部２１２→コア部２０６→ＮＩＣ部２０４
（Ｉ）ボックス送信機能２：ボックス部２１２→コア部２０６→プリンタ部２０９
ここで、ボックス受信／ボックス送信とは、ボックス部２１２を利用した、データの入力や格納、あるいは、格納されたデータの出力を意味しており、ジョブ毎やユーザ毎にメモリを分割して一次的にデータを保存して、ユーザＩＤやパスワードを組み合わせてデータの送受信を行う機能である。
【００１８】
更に、ＲＩＰ（Ｒａｓｔｅｒ  Ｉｍａｇｅ  Ｐｒｏｃｅｓｓｏｒ）部２１３は、ＮＩＣ部２０４から入力されたＰＤＬデータを必要に応じて、ビットマップ画像に展開する役割を果たす。
【００１９】
［スキャナ部２０１の構成］
図３を用いてスキャナ部２０１の構成を説明する。３０１は原稿台ガラスであり、読み取られるべき原稿３０２が置かれる。原稿３０２は照明ランプ３０３により照射され、その反射光はミラー３０４、３０５、３０６を経て、レンズ３０７によりＣＣＤ３０８上に結像される。ミラー３０４、照明ランプ３０３を含む第１ミラーユニット３１０は速度ｖで移動し、ミラー３０５、３０６を含む第２ミラーユニット３１１は速度ｖ／２で移動することにより、原稿３０２の全面を走査する。第１ミラーユニット３１０及び第２ミラーユニット３１１はモータ３０９により駆動する。
【００２０】
［スキャナＩＰ部２０２の構成］
モノクロ画像用であるＭＦＰ１０５では、図４に従って、単色の１ラインＣＣＤセンサ３０８を用いて、単色でＡ／Ｄ変換４０１及び、シェーディング４０２を行ったのちコア部２０６に送られる。
【００２１】
［ＦＡＸ部２０３の構成］
ＦＡＸ部２０３は、まず、受信時には、電話回線から来たデータをＮＣＵ（Ｎｅｔｗｏｒｋ  Ｃｏｎｔｒｏｌ  Ｕｎｉｔ）で受け取り、電圧の変換を行い、モデムの中の復調部でＡ／Ｄ変換及び復調操作を行った後、伸張し、ラスタデータに展開する。一般にＦＡＸでの圧縮伸張にはランレングス法などが用いられる。ラスタデータに変換された画像は、メモリ部で一時保管され、画像データに転送エラーがないことを確認後、コア部２０６へ送られる。
【００２２】
次に、送信時には、コア部よりやってきたラスタイメージの画像信号に対して、ランレングス法などの圧縮を施し、モデムの変調部にてＤ／Ａ変換及び変調操作を行った後、ＮＣＵを介して電話回線へと送られる。
【００２３】
［ＮＩＣ部２０４の構成］
ＮＩＣ部２０４は、ネットワーク１０１に対してのインターフェースの機能を持つのが、このＮＩＣ部２０４であり、例えば１００Ｂａｓｅ−Ｔｘや１ＧＢａｓｅ−ＴｘなどのＥｔｈｅｒｎｅｔ（登録商標）ケーブルなどを利用して外部からの情報を入手したり、外部へ情報を流したりする役割を果たす。
【００２４】
外部より情報を入手する場合は、まず、トランスで電圧変換され、ＬＡＮコントローラに送られる。ＬＡＮコントローラは、その内部に第１バッファメモリを持っており、その情報が必要な情報か否かを判断した上で、第２バッファメモリに送った後、コア部２０６に信号を流す。
【００２５】
次に、外部に情報を提供する場合には、コア部２０６より送られてきたデータは、ＬＡＮコントローラで必要な情報を付加して、トランスを経由してネットワーク１０１に接続される。
【００２６】
［プリンタＩＰ部２０７の構成］
モノクロの場合は、出力マスキング部５０１は持っていないが、空間フィルタ部５０３の後に、二値化回路５０４により８ｂｉｔから１ｂｉｔのデータに変換される。
【００２７】
［プリンタ部２０９の構成（モノクロＭＦＰ１０５の場合）］
図８に、モノクロプリンタ部の概観図を示す。８１３は、ポリゴンミラーであり、４つの半導体レーザ６０５より発光されたレーザ光を受ける。レーザ光はミラー８１４、８１５、８１６をへて感光ドラム８１７を走査露光する。一方、８３０は黒色のトナーを供給する現像器であり、レーザ光に従い、感光ドラム８１７上にトナー像を形成し、トナー像がシートに転写され、出力画像を得ることができる。
【００２８】
シートカセット８３４、８３５および、手差しトレイ８３６のいずれかより給紙されたシートは、レジストローラ８３７を経て、転写ベルト８３８上に吸着され、搬送される。給紙のタイミングと同期が取られて、予め感光ドラム８１７にはトナーが現像されており、シートの搬送とともに、トナーがシートに転写される。トナーが転写されたシートは、分離され、定着器８４０によって、トナーがシートに定着される。定着器８４０を抜けたシートはフラッパ８５０により一旦下方向へ導かれてシートの後端がフラッパ８５０を抜けた後、スイッチバックさせて排出する。これによりフェイスダウン状態で排出され、先頭頁から順にプリントしたときに正しいページ順となる。
【００２９】
［フィニッシャ部２０９の構成］
図９に、フィニッシャ部の断面構造図を示す。プリンタ部２０９の定着部７４０（または、８４０）を排出したシートは、フィニッシャ部２０９に入る（フィニッシャが接続されている場合）。フィニッシャ部２０９には、サンプルトレイ９０１及びスタックトレイ９０２があり、ジョブの種類や排出されるシートの枚数に応じて切り替えて排出される。
【００３０】
ソート方式には２通りあり、複数のビンを有して各ビンに振り分けるビンソート方式と、後述の電子ソート機能とビン（または、トレイ）を奥手前方向にシフトしてジョブ毎に出力シートを振り分けるシフトソート方式によるソーティングを行うことができる。電子ソート機能は、コレートと呼ばれ、前述のコア部で説明した大容量メモリを持っていれば、このバッファメモリを利用して、バッファリングしたページ順と排出順を変更する、いわゆるコレート機能を用いることで電子ソーティングの機能もサポートできる。次にグループ機能は、ソーティングがジョブ毎に振り分けるのに対し、ページ毎に仕分けする機能である。
【００３１】
更に、スタックトレイ９０２に排出する場合には、シートが排出される前のシートをジョブ毎に蓄えておき、排出する直前にステープラ９０５にてバインドすることもできる。
【００３２】
そのほか、上記２つのトレイに至るまでに、紙をＺ字状に折るためのＺ折り機９０４、ファイル用の２つ（または３つ）の穴開けを行うパンチャ９０６があり、ジョブの種類に応じてそれぞれの処理を行う。
【００３３】
更に、サドルステッチャ９０７は、シートの中央部分を２ヶ所バインドした後に、シートの中央部分をローラに噛ませることによりシートを半折りし、週刊誌やパンフレットのようなブックレットを作成する処理を行う。サドルステッチャ９０７で製本されたシートは、ブックレットトレイ９０８に排出される。
【００３４】
そのほか、図には記載されていないが、製本のためのグルー（糊付け）によるバインドや、あるいはバインド後にバインド側と反対側の端面を揃えるためのトリム（裁断）などを加えることも可能である。
【００３５】
また、インサータ９０３はトレイ９１０にセットされたシートをプリンタへ通さずにトレイ９０１、９０２、９０８のいずれかに送るためのものである。これによってフィニッシャ２０９に送り込まれるシートとシートの間にインサータ９０３にセットされたシートをインサート（中差し）することができる。インサータ９０３のトレイ９１０にはユーザによりフェイスアップの状態でセットされるものとし、ピックアップローラ９１１により最上部のシートから順に給送する。従って、インサータ９０３からのシートはそのままトレイ９０１、９０２へ搬送することによりフェイスダウン状態で排出される。サドルステッチャ９０７へ送るときには、一度パンチャ９０６側へ送り込んだ後スイッチバックさせて送り込むことによりフェースの向きを合わせる。
【００３６】
次に、トリマ（裁断機）９１２について説明する。サドルステッチャ９０７においてブックレット（中綴じの小冊子）にされた出力は、このトリマ９１２に入ってくる。その際に、まず、ブックレットの出力は、ローラで予め決められた長さ分だけ紙送りされ、カッター部９１３にて予め決められた長さだけ切断され、ブックレット内の複数ページ間でばらばらになっていた端部がきれいに揃えられることとなる。そして、ブックレットホールド部９１４に格納される。
【００３７】
［ＲＩＰ部２１３の構成］
図１１に示すように、ＲＩＰ部へは通常、ＮＩＣ部２１１あるいは、それ以外のＵＳＢやパラレルなどのインターフェースから入力される。次に、入力デバイス制御部１００１よりサーバ（プリントマネージャ１１５）内に入り、サーバに様々なクライアントアプリケーションを連結することにおいてその役割を果たす。入力としてページ記述言語ＰＤＬ（Ｐａｇｅ  Ｄｅｓｃｒｉｐｔｉｏｎ  Ｌａｎｇｕａｇｅ）データとＪＣＬ（Ｊｏｂ  Ｃｏｎｔｒｏｌ  Ｌａｎｇｕａｇｅ）データを受け付ける。それはプリンタとサーバに関する状態情報であって様々なクライアントに対応する。このモジュール（入力デバイス制御部１００１）の出力は、適切なＰＤＬとＪＣＬの構成要素すべてを結合する役割を持つ。
【００３８】
次に、１００２は入力ジョブ制御部で、ジョブの要求されたリストを管理し、サーバに提出される個々のジョブにアクセスするために、ジョブリストを作成する。更に、このモジュール（入力ジョブ制御部１００２）には、ジョブのルートを決めるジョブルーティング、分割してＲＩＰするか否かを司るジョブスプリット、そしてジョブの順序を決めるジョブスケジューリングの３つの機能がある。
【００３９】
１００３はＲＩＰ（Ｒａｓｔｅｒ  Ｉｍａｇｅ  Ｐｒｏｃｅｓｓｏｒ）部で、複数個存在する。ＲＩＰ１００３ａ，ＲＩＰ１００３ｂあるいは必要に応じて更に増やすことも可能だが、ここでは総称してＲＩＰ部１００３と記載する。ＲＩＰモジュール（ＲＩＰ部１００３）は、様々なジョブのＰＤＬをＲＩＰ処理して、適切なサイズと解像度のビットマップを作成する。ＲＩＰ処理に関しては、ＰｏｓｔＳｃｒｉｐｔ（登録商標）（米国Ａｄｏｂｅ社の商標登録）をはじめ、ＰＣＬ，ＴＩＦＦ，ＪＰＥＧ，ＰＤＦなど様々なフォーマットのラスタライズ処理が可能である。
【００４０】
１００４はデータ変換部で、ＲＩＰ部１００３によって作り出されるビットマップイメージを圧縮したり、フォーマット変換を施したりする役割を果たし、それぞれのプリンタにマッチした最適な画像イメージタイプを選び出す。例えば、ジョブをページ単位で扱いたい場合には、ＴＩＦＦやＪＰＥＧなどをＲＩＰ部でラスタライズした後のビットマップデータにＰＤＦヘッダを付けて、ＰＤＦデータとして編集するなどの処理を行う。
【００４１】
１００５は出力ジョブ制御部で、ジョブのページイメージを取って、それらがコマンド設定に基づいてどう扱われるのかを管理する。ページはプリンタに印刷されたり、ハードディスク１００７にセーブされたりする。印刷後のジョブは、ハードディスク１００７に残すか否かを選択可能であり、印刷後のジョブがハードディスク１００７にセーブされた場合には、再呼び出しすることもできる。更に、このモジュール（出力ジョブ制御部１００５）は、ハードディスク１００７とメモリ（ＳＤＲＡＭ）１００８との相互作用で管理する。
【００４２】
１００６は出力デバイス制御部で、どのデバイスに出力するか、またどのデバイスをクラスタリング（複数台接続して一斉にプリントすること）するかの制御を司り、選択されたデバイスのインターフェースに印刷データを送る。また、このモジュール（出力デバイス制御部１００６）は、ＭＦＰ（１０４または１０５）の状態監視と装置状況を伝える役割も果たしている。
【００４３】
なお、ＲＩＰ部１００３は、実際には、ＭＦＰ１０４（または１０５）に内蔵される場合と、別ユニットで存在したりする場合がある。
【００４４】
［操作部］
図１２はＭＦＰ１０４または、１０５の操作部の模式図である。操作部はタッチパネルのＬＣＤ（液晶表示）部２２００とキー操作部２２３０とからなっており、図７はＬＣＤ部２２００のフローチャートを示している。このフローチャートは、複写動作を行うためのコピーモード（Ｓ２１１０）、スキャン送信を行う送信（Ｓｅｎｄ）モード（Ｓ２１２０）、ボックスからの取り出しや編集を行うためのボックスモード（Ｓ２１３０）、各種設定を行うオプションモード（Ｓ２１４０）、システムの状況を知るためのシステムモニタ（Ｓ２１５０）などのモードが用意されており、図１２のＬＣＤ部２２００のモード選択キー２２０１〜２２０５を押下することでこれらのモードが切り替わる仕組みになっている。
【００４５】
図１２では、コピー部数のほかに、紙サイズ、変倍率、画像モードや仕上げ方法などを設定して、スタートキー２２３１を押下すると、コピー動作を行うことができる。
【実施例１】
【００４６】
本発明を表すコントローラ回路で図１３をもとに説明する。
【００４７】
１はスキャナーインターフェース、２はＤＲＡＭインターフェース、３はＡＳＩＣ内蔵ＣＰＵ、４はＰＤＬデータ描画用回路、５は外部インターフェース、６はプリンターインターフェース、７はＰＣＩインターフェース、８はＪＢＩＧ圧縮伸張回路である。９は最初の起動時に使用するＲＯＭが接続されているＲＯＭ  Ｉ／Ｆである。
【００４８】
３のＣＰＵはＢＯＯＴ時に９のＲＯＭからプログラムデータをリードして動作する。７のＰＣＩインターフェースを経由してＰＣＩに接続されている図示されないハードディスクにアプリケーション用のプログラムがあり、それをＤＭＡで２のＤＲＡＭインターフェース経由でＤＲＡＭ上にＭａｐｐｉｎｇして３のＣＰＵはそのプログラム情報を読みながら動作する。５は外部インターフェースでプリンタードライバーで生成されたＰＤＬデータ等が入ってくる。ＣＰＵはそのデータをもとにＤｉｓｐｌａｙＬｉｓｔを生成して一旦２のＤＲＡＭＩ／Ｆを経由してＤＲＡＭ上にデータを生成し、４の描画回路は２のＤＲＡＭＩＦを経由してＤｉｓｐｌａｙＬｉｓｔを読み込みＢｉｔＭａｐデータを生成してＤＲＡＭに書き込む。８のＪＢＩＧ圧縮伸張回路は必要に応じてＪＢＩＧ圧縮伸張を行う。画像として出力する場合は６のプリンターエンジンインターフェースが２のＤＲＡＭＩＦ経由でＢｉｔＭａｐデータを取得してプリンターエンジンにデータを出力する。
【００４９】
本発明においては６の内部に画像処理変換回路が存在する。図１４にそのブロック図を記載する。本説明ではウインドウサイズは１８×１８として説明する。
【００５０】
１は１８ラインの画像データを取り込む遅延回路（ＲＡＭ）、２は中間調判定パターン、３は置き換え画素判定パターン、４はパターンマッチング処理部、５は置き換え画素記憶部、６は置き換え画素入力部、７は画素置き換え処理部である。
【００５１】
画像が入力され、ＲＡＭに格納される。画像データは００４のウインドウに格納され、００２と００３の判定パターンと００４のデータを元に生成された、００５のパターンマッチング処理部で判断される。処理すると判断された場合は００６の置き換え画素記憶部のデータを置き換え画素入力部に入れて、置き換え画素置換信号を００８の画素置き換え処理部に伝達する。
【００５２】
次に図１５をもとに定着爆発の原理を記載する。
（１）は印字予定部にトナーが付着したが、定着前に風で飛んでしまい、トナーが飛び散ってしまったもので、
（２）はＯＰＣ系で紙内部に水があり、それが定着器で暖められ、紙内部から爆発したものである。
【００５３】
次に図１６に実際の本発明を適用する前と適用後に写真を記載する。
【００５４】
Ａは本処理を施さない場合で、Ｂは本処理を施した場合である。
【００５５】
Ａはトナーが飛び散っているのがわかるが、Ｂは多少飛び散りが少なくなっていることがわかる。
【００５６】
次に図１７に実際にこのような帯状の画像に対してコントローラがどのように画素を抜いているのかを図で説明する
Ａが本処理を施さない場合で図１６のＡに対応したもの、図１７は本処理を施したものでＢに対応したもので実際には真っ黒い帯び状のデータに対して印字したような形にしている。即ち図１４でのパターンマッチングにより黒画像を白画像に変換したものとなっている。
【００５７】
図１８に実際のウインドウに画像があり、その画像を黒から白に変換する図を記載する。
【００５８】
図１４の１の遅延回路（ＲＡＭ）から入ってきた、画像データが４の参照ウインドウに画像が毎ＣＬＯＣＫはいってきて、参照ウインドウに画像データがシフトされていく。図１８で行うようなパターンマッチングを行い、マッチングした場合は図１８の左図のように画素をぬくようなかたちになり、図１６−Ｂのような画像が生成される
【実施例２】
【００５９】
図１８のような参照ウインドウとマッチングパターンでは図１６−Ｂのような１ｄｏｔおきの白抜きパターンにはならない。図１９は図１８の１ＣＬＯＣＫ後の図である。図１９をもとに前の（１ＣＬＯＣＫ前）画素抜き情報を記憶して、前に画素抜きしている場合は当画素が置換対象画素であったとしても画素抜きしない図を示す
【実施例３】
【００６０】
例えばモノクロエンジンでも高精彩、高速スピードになってきている。実施例１、２のような処理を行う場合例えば１２００ｄｐｉ−１２０ｐｐｍといったような高速エンジンの場合、１ＣＬＯＣＫ１画素という従来の方法で行うためには、内部ＣＬＯＣＫ、ＲＡＭ等のスピードを上げざる得なく１ＣＬＯＣＫ数百ＭＨｚといったような処理で対応せざるをえなくなり、それもまた難しい。
【００６１】
本発明では上記方法を諦め並列処理、すなわち１ＣＬＯＣＫ複数画素といったような処理を行わざるを得ない。そのような場合に実施例２のような前の画素抜きの情報が必要になるが、各参照ウインドウ毎に他の参照ウインドウの状況を判断し、画素抜きを行う回路である。
【００６２】
また、画像パスによって複数ウインドウのウインドウ体系を変更しても良い。
【実施例４】
【００６３】
同一ページ内で従来の細線補正と本発明である、定着爆発抑制を制御できる。
【図面の簡単な説明】
【００６４】
【図１】本発明の画像形成システム構成を示すブロック図
【図２】ＭＦＰの構成を示すブロック図
【図３】スキャナ部の構成示す断面図
【図４】スキャナのデータ処理構成を示すブロック図
【図５】プリンタのデータ処理構成を示すブロック図
【図６】スクリーニング部におけるＰＷＭ処理を説明する図
【図７】ＭＦＰの操作部のＬＣＤ部におけるフローチャート
【図８】プリンタ部（特にモノクロプリンタ部）の構造を示す断面図
【図９】オンラインフィニッシャ部の構成を示す断面図
【図１０】ＲＩＰ部の構成を示すブロック図１
【図１１】ＲＩＰ部の構成を示すブロック図
【図１２】ＭＦＰの操作部の模式図１
【図１３】ＭＦＰのコントローラメインＡＳＩＣのブロック図
【図１４】本発明の画像処理ブロック図
【図１５】本問題の発生メカニズムを示す図
【図１６】本問題の写真と対策後の写真
【図１７】本発明の画像処理イメージを示す図
【図１８】本発明の画像処理を示す図
【図１９】本発明の画像処理を示す図
【図２０】本発明の画像処理を示す図
【符号の説明】
【００６５】
１０１  ネットワーク
１０２  サーバコンピュータ
１０３ａ  クライアントコンピュータ
１０３ｂ  クライアントコンピュータ
１０３ｃ  クライアントコンピュータ
１０４  ＭＦＰ
１０５  ＭＦＰ
１０６  スキャナ
１０７  プリンタ
【図１】
2006303879.tif 000003
【図２】
2006303879.tif 000004
【図３】
2006303879.tif 000005
【図４】
2006303879.tif 000006
【図５】
2006303879.tif 000007
【図６】
2006303879.tif 000008
【図７】
2006303879.tif 000009
【図８】
2006303879.tif 000010
【図９】
2006303879.tif 000011
【図１０】
2006303879.tif 000012
【図１１】
2006303879.tif 000013
【図１２】
2006303879.tif 000014
【図１３】
2006303879.tif 000015
【図１４】
2006303879.tif 000016
【図１５】
2006303879.tif 000017
【図１７】
2006303879.tif 000018
【図１６】
2006303879.tif 000019
【図１８】
2006303879.tif 000020
【図１９】
2006303879.tif 000021
【図２０】
2006303879.tif 000022